(57)【特許請求の範囲】
【請求項１】
埋設木杭の杭頭部を遊嵌するように一端が開口して他端が底部を有する筒体と、
前記筒体が前記杭頭部に被せられた使用状態で当該筒体の底部から上方に向けて立設され起振装置の振動をこの筒体に伝達する振動伝達部材と、
前記筒体の外側周囲に基部が固定され他端部が前記使用状態において前記筒体の開口部から下位置にある木胴部分を自在に把持する把持装置とからなり、
前記起振装置の前記埋設木杭に対する往復振動が、前記筒体の底部によって下方向に、前記把持装置によって上方向にそれぞれ伝達されること、
を特徴とする木杭用引抜き装置。
【請求項２】
把持装置は、筒体の外周部に周方向に等間隔で複数個設けられ、一つの把持装置は前記筒体の底部側に基部が固定されて当該筒体の開口部側に向かって伸縮自在なシリンダーと、該シリンダーのロッドの先端に一端部が回転自在に連結されるとともに、他端部が筒体の開口部側に設けた支点を中心に使用状態における前記筒体の下位置の木胴に当接するように揺動してなる把持用腕部とからなること、
を特徴とする請求項１に記載の木杭用引抜き装置。
【請求項３】
把持用腕部の他端部には、木胴の表面に当接する二股の爪を有するとともに前記他端部との連結部が揺動自在にされた爪部材があり、この爪部材の一方の爪は、使用時において把持装置が上方向に振動する際に前記連結部における回動中心位置よりも上位置に位置して、木胴に食い込むようになっていること、
を特徴とする請求項２に記載の木杭用引抜き装置。
【発明の詳細な説明】
【技術分野】
【０００１】
本発明は、地盤に打ち込まれた既存の木杭を、必要に応じて引き抜くための木杭の引抜き装置に関するものである。
【背景技術】
【０００２】
従来、地盤に埋設された木杭を引き抜くには、その埋設木杭の周囲を下端位置まで全部掘り下げて引き抜くのが確実であるが、工期が長くなり手間がかかる。そこで、埋設木杭の縁切りを効率的に行うようにしたものとして、例えば、杭より内径の大きいパイプを外嵌させながら、そのパイプに上下方向の振動を与えつつ埋設木杭の下端位置までパイプを地中に打ち込んだ後、杭を引き抜く方法と装置とが知られている（特許文献１参照）。
【特許文献１】特開平０５−２７２１３８号公報
【発明の開示】
【発明が解決しようとする課題】
【０００３】
しかし、従来の木杭用引抜き装置では、地盤に打ち込んだ木杭が必ずしも鉛直に打ち込まれるとは限らず、むしろ斜めに打ち込まれてしまう場合が多いので、地盤との縁切り用の前記パイプを、埋設木杭の下端位置まで打ち込むのが困難なことが多い。また、この他、杭頭部分をワイヤーで直接引っ掛けて引く抜く方法があるが、該杭頭部が腐っていたり、杭の周辺摩擦力が強くて引き抜くことが出来なかったりする。更に、杭頭に繋着させたワイヤを介してその杭頭に振動を与えて引き抜こうとしても、杭に上下方向の往復振動が伝達されないので杭胴部分の周辺摩擦力が変化せず、ワイヤで引き抜くのが困難である。本発明に係る木杭用引抜き装置は、このような課題を解決するために提案されたものである。
【課題を解決するための手段】
【０００５】
本発明に係る木杭用引抜き装置の要旨は、埋設木杭の杭頭部を遊嵌するように一端が開口して他端が底部を有する筒体と、前記筒体が前記杭頭部に被せられた使用状態で当該筒体の底部から上方に向けて立設され起振装置の振動をこの筒体に伝達する振動伝達部材と、前記筒体の外側周囲に基部が固定され他端部が前記使用状態において前記筒体の開口部から下位置にある木胴部分を自在に把持する把持装置とからなり、前記起振装置の前記埋設木杭に対する往復振動が、前記筒体の底部によって下方向に、前記把持装置によって上方向にそれぞれ伝達されることである。
【０００６】
前記把持装置は、筒体の外周部に周方向に等間隔で複数個設けられ、一つの把持装置は前記筒体の底部側に基部が固定されて当該筒体の開口部側に向かって伸縮自在なシリンダーと、該シリンダーのロッドの先端に一端部が回転自在に連結されるとともに、他端部が筒体の開口部側に設けた支点を中心に使用状態における前記筒体の下位置の木胴に当接するように揺動してなる把持用腕部とからなるものである。
【０００７】
また、前記把持用腕部の他端部には、木胴の表面に当接する二股の爪を有するとともに前記他端部との連結部が揺動自在にされた爪部材があり、この爪部材の一方の爪は、使用時において把持装置が上方向に振動する際に前記連結部における回動中心位置よりも上位置に位置して、木胴に食い込むようになっていることを含むものである。
【発明の効果】
【０００８】
本発明の木杭の引抜き装置によれば、埋設木杭の杭頭部の木口を強く掴むことがないので、木杭の破損がない。また、埋設木杭の頭部を筒体で遊嵌し、木胴をしっかりと掴んで起震装置の振動を確実に伝達するので、周辺摩擦力を低減させて木杭を容易に抜くことができる。また、逆に、木杭に振動を与えながら圧縮することで地盤に木杭を打ち込むこともできる。更に、把持装置の爪部材が木胴に食い込むようになっているので、起振装置の上下方向の振動を確実に埋設木杭に伝達することができる。
【発明を実施するための最良の形態】
【０００９】
本発明に係る木杭の引抜き方法は、図１に示すように、埋設木杭２の杭頭部２ａに遊嵌させる筒体３と、該筒体３に設けられて前記筒体３を杭頭部２ａに被せた状態で木胴２ｂを把持する把持装置４とから少なくともなる木杭用引抜き装置１により、前記埋設木杭２の杭頭部２ａに前記引抜き装置１を設置し、該引抜き装置１に図示していない起振装置（油圧バイブロハンマ等）の上下方向の振動を伝達し、前記筒体３の底部（天板でもよい）３ａで前記杭頭部２ａに下向きの振動を伝達し、前記把持装置４で木胴２ｂに上向きの振動を伝達して前記埋設木杭２の周辺摩擦力を低減させて引き抜く方法である。
【００１０】
このような引抜き方法により、埋設木杭２は、起振装置の振動が確実に伝達されて上下に振動し、その起振装置の振動によって周囲の地盤との接触が縁切りされる。そして、摩擦杭としての支持力である周辺摩擦力が減少し、前記引抜き装置１を引き上げたり、この引抜き装置１を木杭２の杭頭部からから撤去して直接木杭を引っ張ることで、容易に埋設木杭２を引き抜くことができるものである。
【００１１】
このような木杭の引抜き方法に使用される引抜き装置１の具体例としては、例えば、埋設木杭２の杭頭部２ａを遊嵌するように一端が開口して他端が底部（または天板）３ａを有する鋼製筒体３と、前記筒体３が前記杭頭部２ａに被せられた使用状態で当該筒体３の底部３ａから上方に向けて立設され図示していない起振装置の振動をこの筒体３に伝達する一様厚さで板状の鋼製振動伝達部材５と、前記筒体３の外側周囲に基部４ｃが固定され他端部４ｄが前記使用状態において前記筒体３の開口部３ｂから下位置にある木胴２ｂ部分を自在に把持する剛性な把持装置４とからなる。
【００１２】
そして、前記起振装置の前記埋設木杭２に対する往復振動が、前記筒体３の底部（または天板）３ａによって下方向に、前記把持装置４によって上方向にそれぞれ確実に伝達されるものである。
【００１３】
前記把持装置４は、図１（Ａ），（Ｂ）に示すように、筒体３の外周部に周方向に等間隔で複数個、この実施例では３個で設けられ、一つの把持装置は前記筒体３の底部（天板）３ａ側に基部４ｃが固定されて当該筒体３の開口部３ｂ側に向かって伸縮自在なシリンダー４ａと、該シリンダー４ａのロッド４ｅの先端に一端部４ｆが回転自在に連結されるとともに、他端部４ｄが筒体３の開口部３ｂ側に設けた支点４ｇを中心に揺動して使用状態における前記筒体３の下位置の木胴２ｂに当接するように形成された把持用腕部４ｂとからなる。
【００１４】
前記把持用腕部４ｂの他端部４ｄには、図２に示すように、木胴２ｂの表面に当接する二股の爪６ａ，６ｂを有するとともに前記他端部４ｄとの連結部６ｃが、例えば、ピン結合で揺動自在にされた爪部材６がある。この爪部材６の一方の爪６ａは、使用時において把持装置４が上方向に振動する際に前記連結部６ｃにおける回動中心位置よりも上位置ａに位置して、木胴２ｂに食い込むようになっている。
【００１５】
このような木杭用引抜き装置１により、埋設木杭２の頭部２ａに筒体３を被せて、その
振動伝達部材５を、図示していない起振装置の把持部で掴む。そして、シリンダー４を油圧で駆動させて把持用腕部４ｂを揺動させて、その他端部４ｄの爪部材６を木胴２ｂにしっかりと当接させる。
【００１６】
次に、前記起振装置を振動させる。すると、前記引抜き装置１の筒体３が上下方向に振動し、その底部（天板）３ａで杭頭部２ａを下に押し、当該筒体３と共に上に移動する把持用腕部４ｂによって木胴２ｂが上に引き上げられ、埋設木杭２に筒体３の振動が直接伝達する。この把持用腕部４ｂには、爪部材６があるので、木胴２ｂに一方の爪６ａが良く喰い込み、確実に振動を伝達する。よって、埋設木杭２の地盤周囲との周辺摩擦力が低減され消勢する。こうして、埋設木杭２の引き抜きが容易に行えるようになるものである。
【図面の簡単な説明】
【００１７】
【図１】本発明に係る木杭用引抜き装置１を埋設木杭２の杭頭部に載置した状態の正面図（Ａ）と、引き抜きように腕部４ｂを揺動させ木杭を把持する状態の正面図（Ｂ）とである。
【図２】同本発明の木杭用引抜き装置１の一部の拡大正面図である。
【図３】同木杭用引抜き装置１の平面図（Ａ）と底面図（Ｂ）とである。
【符号の説明】
【００１８】
１          木杭用引抜き装置、
２          埋設杭、                    ２ａ      杭頭部、
２ｂ        木胴、
３          筒体、                      ３ａ      底部（天板）、
３ｂ        開口部、
４          把持装置、                  ４ａ      シリンダー、
４ｂ        把持用腕部、                ４ｃ      基部、
４ｄ        他端部、                    ４ｅ      ロッド、
４ｆ        一端部、                    ４ｇ      支点、      
５          振動伝達部材、
６          爪部材、                    ６ａ      一方の爪、
６ｂ        他方の爪、                  ６ｃ      連結部。
【図１】
0005070087.tif 000002
【図２】
0005070087.tif 000003
【図３】
0005070087.tif 000004